(57)【要約】【課題】  メールの送信動作を簡易に予約設定できる移動体通信端末を提供する。【解決手段】  現在時刻データを出力する手段と、メールを送信する送信実行日時のデータを入力する手段と、前記入力された送信実行日時のデータを記憶する手段と、前記現在時刻データと前記送信実行日時のデータとに基づいて前記送信実行日時が到来したときに前記メールを送信する手段とを備える。前記送信実行日時のデータは複数のメールについて互いに独立に設定してもよい。前記送信実行日時におけるメール送信に失敗したとき、メール送信に成功するまで予め設定した最大繰り返し回数及び繰り返し間隔の条件で前記メールの送信動作を繰り返し実行してもよい。前記メール送信の結果を通知する手段を更に備えてもよい。【選択図】  図４
2008085442.tif 000002
【特許請求の範囲】
【請求項１】
通信ネットワークを介してメールを送信可能な移動体通信端末であって、
現在時刻データを出力する手段と、
メールを送信する送信実行日時のデータを入力する手段と、
前記入力された送信実行日時のデータを記憶する手段と、
前記現在時刻データと前記送信実行日時のデータとに基づいて前記送信実行日時が到来したときに前記メールを送信する手段と、
を備えたことを特徴とする移動体通信端末。
【請求項２】
請求項１の移動体通信端末において、
前記送信実行日時のデータは複数のメールについて互いに独立に設定可能であることを特徴とする移動体通信端末。
【請求項３】
請求項１の移動体通信端末において、
前記送信実行日時におけるメール送信に失敗したとき、メール送信に成功するまで予め設定した最大繰り返し回数及び繰り返し間隔の条件で前記メールの送信動作を繰り返し実行することを特徴とする移動体通信端末。
【請求項４】
請求項１の移動体通信端末において、
前記メール送信の結果を通知する手段を更に備えたことを特徴とする移動体通信端末。
【発明の詳細な説明】
【技術分野】
【０００１】
本発明は、携帯電話機等の移動体通信端末に関するものである。
【背景技術】
【０００２】
従来、この種の移動体通信端末としてメールを送受信可能な携帯電話機が知られている。この携帯電話機では、メールを作成した後、送信ボタンを押下すると、作成したメールを通信ネットワーク側のメールサーバに送信するメール送信動作が開始される。
【発明の開示】
【発明が解決しようとする課題】
【０００３】
メールを送受信可能な携帯電話機では、作成したメールの送信動作をすぐに開始せずに、メールの送信動作の日時を任意の日時に予約したい場合がある。
【０００４】
本発明の目的は、メールの送信動作を簡易に予約設定できる移動体通信端末を提供することである。
【課題を解決するための手段】
【０００５】
本発明に係る移動体通信端末は、通信ネットワークを介してメールを送信可能な移動体通信端末であって、現在時刻データを出力する手段と、メールを送信する送信実行日時のデータを入力する手段と、前記入力された送信実行日時のデータを記憶する手段と、前記現在時刻データと前記送信実行日時のデータとに基づいて前記送信実行日時が到来したときに前記メールを送信する手段と、を備える。この移動体通信端末では、メールを送信する送信実行日時のデータが入力されると、その送信実行日時のデータが記憶される。そして、前記出力された現在時刻データと前記記憶されている送信実行日時のデータとに基づいて、前記送信実行日時が到来したと判断されたときに前記メールが送信される。
前記移動体通信端末において、前記送信実行日時のデータは複数のメールについて互いに独立に設定可能にしてもよい。この場合は、複数のメールについてメールの送信動作を簡易に予約設定できる。なお、各メールの送信実行日時は互いに異なる日時に設定してもいいし、各メールを一緒に送信するように同じ日時に設定してもよい。
また、前記移動体通信端末において、前記送信実行日時におけるメール送信に失敗したとき、メール送信に成功するまで予め設定した最大繰り返し回数及び繰り返し間隔の条件で前記メールの送信動作を繰り返し実行してもよい。この場合は、電波状況が悪いなどの何らかの理由で前記送信実行日時にメールを送信できなくても、前記所定の条件でメール送信動作を繰り返すことにより、当該メールをより確実に送信できる。
また、前記移動体通信端末において、前記メール送信の結果を通知する手段を更に備えてもよい。この場合は、前記予約設定したメール送信の結果を利用者が把握することができる。このメール送信の結果は、メール送信に成功した場合やメール送信に失敗した場合に通知される。メール送信の失敗の結果が通知された場合、利用者は速やかにメールの再送信のための操作を行うことができる。なお、前記メール送信の結果の通知手段としては様々な形態の手段を採用し得る。例えば、音や音声を出力して通知してもいいし、テキストメッセージを表示して通知してもよい。また、これらの通知に用いる音、音声、テキストメッセージ等は、メール送信の成功の場合と失敗の場合とで異ならせてもよい。また、前述のメール送信を複数回繰り返した場合は、各メール送信のたびに結果を通知してもいいし、最後のメール送信の結果だけ通知してもよい。
【発明の効果】
【０００６】
本発明によれば、利用者が入力した送信実行日時のデータを移動体通信端末内に記憶させることにより、メールの送信動作を簡易に予約設定できる。
【発明を実施するための最良の形態】
【０００７】
以下、本発明を移動体通信端末としての携帯電話機に適用した実施形態について説明する。
図１は本実施形態に係る携帯電話機を用いたメール送受信の通信システムの一例を示す概略構成図である。この通信システムは、複数の携帯電話機１０と、移動体通信事業者によって管理されている移動体通信ネットワークとしての携帯電話通信網２０とを備えている。携帯電話通信網２０は、基地局２０１や図示しない交換機（回線交換機、パケット交換機）等を備え、図示しないゲートウェイサーバを介してインターネット３０や他の移動体通信事業者による携帯電話通信網４０に接続されている。また、携帯電話通信網２０及び携帯電話通信網４０には、電子メール、ショートメッセージサービス（ＳＭＳ）等の携帯電話用のメールを処理する各種メールサーバ２１、４１が接続され、インターネット３０には、電子メールを処理するメールサーバ３１が接続されている。これらのメールサーバ２１，３１，４１を介して、携帯電話機１０は、各種通信端末との間で、電子メールやＳＭＳメールを送受信することができる。例えば、利用者Ａの携帯電話機１０Ａは、同一の移動体通信事業者と契約している携帯電話機との間で携帯電話通信網２０を介してメール送受信したり、他の移動体通信事業者と契約している携帯電話機との間で携帯電話通信網４０を介してメールを送受信したりすることができる。また、利用者Ａの携帯電話機１０Ａは、インターネット３０を介してパーソナルコンピュータとの間でメール送受信することもできる。
【０００８】
図２は本発明の実施形態に係る携帯電話機の概略構成の一例を示すブロック図である。図３は同携帯電話機の外観構成の一例を示す正面図である。本実施形態の携帯電話機１０は、制御手段としての主制御部１２０と、記憶手段としての内部メモリ１２１と、携帯電話通信網２０を介して通信を行う通信手段としての無線通信部１２２及びアンテナ１１２と、表示手段としての表示部１２５と、操作手段としてのキー操作部１２６と、時計部１２７とを備えている。
【０００９】
上記主制御部１２０は、例えばＣＰＵ、キャッシュメモリ、ＲＯＭ、システムバス等で構成され、所定の制御プログラムを実行することにより、内部メモリ１２１や無線通信部１２２等の各部との間でデータの送受信を行ったり、各部を制御したりする。この主制御部１２０には、音信号処理部１２３を介して音入力手段としてのマイク１０８及び音出力手段としてのスピーカ１０９が接続されている。また、主制御部１２０には、表示制御手段としての表示制御部１２４を介して表示部１２５が接続されている。更に、主制御部１２０には、各種処理を指示したり各種データを入力したりするときに利用者によって操作されるキー操作部１２６や時計部１２７も接続されている。
【００１０】
上記主制御部１２０は、時計部１２７から出力される現在時刻データと、ユーザが入力して記憶されている送信実行日時のデータとに基づいて、送信実行日時が到来したと判断したときにメールを送信する手段としても機能する。
【００１１】
上記通信手段としての無線通信部１２２及びアンテナ１１２は、前記要求動作情報を付加したメールを送信する手段としても機能する。
【００１２】
上記内部メモリ１２１は、例えばＲＡＭやＲＯＭなどの半導体メモリで構成され、主制御部１２０で実行する制御プログラムや各種データを記憶するものである。なお、これらの記憶手段としては、上記内部メモリ１２１ではなく、携帯電話機本体に着脱可能なメモリーカード、ＩＣカード等の記憶媒体を用いてもよい。
【００１３】
また、上記内部メモリ１２１は、ユーザがキー操作部１２６を操作することによって入力された送信実行日時のデータを記憶する手段としても機能する。この送信実行日時のデータは、例えば日、時間、分の単位で記憶することができる。記憶しておくことができる送信実行日時の範囲は、予約設定の操作時から所定期間の範囲に制限してもよい。例えば、予約設定の操作時から１週間後までの任意の日時を設定して記憶できるようにする。
【００１４】
上記表示制御部１２４は、主制御部１２０から送られてきた描画データに基づいて表示部１２５に画像を表示するように制御する。表示部１２５は、液晶パネル等からなるディスプレイ１１０を用いて構成され、内部メモリ１２１に保存されている画像データ等に基づいて各種画像が表示される。
【００１５】
上記スピーカ１０９は、音信号処理部１２３でデジタル信号から変換されたアナログ信号が入力され、通話中の音声を出力したり、メールの着信音、電話の呼び出し音、音楽などを出力したりする。このスピーカ１０９及び音信号処理部１２３からなる音発生手段は、受信したメールに添付された添付ファイルを用いて効果音や音楽（楽曲、メロディ）を再生して出力するように、主制御部１２０で制御することができる。
【００１６】
また、上記スピーカ１０９及び音信号処理部１２３は、メール送信の結果を通知する手段としても機能する。例えば、予め設定した効果音や音楽（楽曲、メロディ）を出力することにより、メール送信の成功や失敗等の結果をユーザに通知することができる。
【００１７】
なお、上記スピーカ１０９は、図３に示すように通話中の音声を聞くための受話器用スピーカ（レシーバ）１０９ａと、着信音や音楽などを出力する外部出力用スピーカ１０９ｂとを別々に設けて構成してもいいし、これらの受話器用スピーカ及び外部出力用スピーカを兼用するように一つのスピーカで構成してもよい。
【００１８】
上記キー操作部１２６は、データ入力キー（テンキー、＊キー、＃キー）１０３、通話開始キー１０４、終話キー１０５、スクロールキー１０６、多機能キー１０７等で構成され、利用者が通話開始、終話、メニュー選択、表示モードの切り換え等を指示したり情報を入力したりするときに用いられる。
【００１９】
上記キー操作部１２６は、ユーザによって操作されることにより、メールを送信する送信実行日時のデータを入力する手段としても機能する。この送信実行日時のデータは、例えば日、時間、分の単位で入力することができる。入力可能な送信実行日時の範囲は、予約設定の操作時から所定期間の範囲に制限してもよい。例えば、予約設定の操作時から１週間後までの範囲に制限してもよい。
【００２０】
上記マイク１０８は、利用者の音声を電気信号（アナログ信号）に変換する。マイク１０８から出力される音声の電気信号（アナログ信号）は、音信号処理部１２３に入力され、デジタル信号に変換される。
【００２１】
上記時計部１２７は、ＲＴＣ（リアルタイムクロック）等を用いて構成され、現在時刻データを出力する手段として機能する。時計部１２７から出力される現在時刻データは、液晶ディスプレイ（ＬＣＤ）１１０からなる表示部１２５の日時情報の表示に用いたり、予約設定されたメールの送信動作の制御に用いたりすることができる。
【００２２】
図４は、上記構成の携帯電話機１０における送信予約メールの設定処理の一例を示すフローチャートである。送信予約メールを登録するときは、まず、通常のメール作成と同様に携帯電話機１０を操作することにより、メールの宛名及び件名を入力し、必要に応じてファイルを添付する（Ｓ１，Ｓ２）。そして、送信メールのオプションとして「送信予約」が選択されると（Ｓ３）、「送信待ちメール数」すなわち登録済みの送信予約メールの数が、所定の「最大送信待ちメール数」以上か否か判断される（Ｓ４）。
【００２３】
上記ステップＳ４において上記「送信待ちメール数」が「最大送信待ちメール数」以上でない場合、すなわち送信予約メールに空きがある場合は、送信実行日時のデータが入力される（Ｓ５）。送信実行日時のデータは例えば日付、時間、分の単位で入力される。送信実行日時の入力可能な範囲は所定期間に制限してもよい。例えば、メール作成時にから１週間後までの期間についてのみ送信実行日時を入力できるようにしてもよい。上記送信実行日時のデータを入力した後、所定のキー操作を行って確認完了を指示すると、送信予約メールの設定登録が完了する。
【００２４】
一方、上記ステップＳ４において上記「送信待ちメール数」が「最大送信待ちメール数」以上である場合、すなわち送信予約メールに空きがない場合は、送信予約ができない旨のメッセージが表示される（Ｓ６）そして、所定のキー操作を行ってメール送信を指示すると、通常のメールと同様に送信処理が実行される（Ｓ７）。
【００２５】
図５は、上記構成の携帯電話機１０における送信予約メールの送信処理の一例を示すフローチャートである。送信予約メールの設定がなされている場合は、その送信予約メールの送信実行日時が到来したか否か監視される（Ｓ１）。送信予約メールの送信実行日時が到来した場合（Ｓ１でＹｅｓ）は、送信予約メールについてメール送信処理が実行され（Ｓ２）、メール送信に成功したか否か判断される（Ｓ３）。メール送信に成功した場合（Ｓ３でＹｅｓ）は、予め設定した効果音などによってメール送信に成功した旨の通知がなされる（Ｓ４）。
【００２６】
一方、上記メール送信処理時に、電波環境の劣化などの何らかの原因により送信に失敗した場合（Ｓ３でＮｏ）は、その送信予約メールについてメール送信を所定回数までリトライする（Ｓ５，Ｓ２，Ｓ３）。メール送信のリトライに失敗した場合は、予め設定した効果音などによってメール送信に失敗した旨の通知がなされ（Ｓ６）、その送信予約メールは送信失敗扱いメールとなる。なお、上記所定回数のリトライを行ってもメール送信に失敗した場合は、例えばポップアップ表示から送信失敗扱いメールを表示し、再送動作などが行えるようにしてもよい。
【００２７】
以上、本実施形態によれば、送信予約メールを設定する際にユーザが入力した送信実行日時のデータを携帯電話機１０内に記憶させることにより、メールの送信動作を簡易に予約設定できる。
【００２８】
以上、本発明の好ましい実施形態を説明したが、本発明の範囲又は趣旨から逸脱することなく、特許請求の範囲に記載された技術的事項の範囲内において、開示した実施形態に種々の変更を加えることができる。
【００２９】
例えば、本発明は、携帯電話機に限定することなく、メール送受信可能な様々な移動体通信端末に適用することができる。すなわち、本発明における「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機、固定電話機等の通話機能を有する電話機が挙げられる。また、この「移動体通信端末」としては、上記電話機のほか、通話機能を有するＰＤＡ（Personal Digital Assistance）等の通信端末も挙げられる。
【００３０】
また、上記移動体通信端末における制御及び処理は、その移動通信端末に設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【図面の簡単な説明】
【００３１】
【図１】本発明の実施形態に係る携帯電話機を用いたメール送受信の通信システムの一例を示す概略構成図。
【図２】同携帯電話機の概略構成の一例を示すブロック図。
【図３】同携帯電話機の外観構成の一例を示す正面図。
【図４】送信予約メールの設定処理の一例を示すフローチャート。
【図５】送信予約メールの送信処理の一例を示すフローチャート。
【符号の説明】
【００３２】
１０    携帯電話機
２０，４０    携帯電話通信網
２１，４１    メールサーバ
３０    インターネット
３１    メールサーバ
１２０    主制御部
１２１    内部メモリ
１２４    表示制御部
１２５    表示部
１２６    キー操作部
１２７    時計部
【図１】
2008085442.tif 000003
【図２】
2008085442.tif 000004
【図３】
2008085442.tif 000005
【図４】
2008085442.tif 000006
【図５】
2008085442.tif 000007